(57)【特許請求の範囲】
【請求項１】
プラグとコンセントの接続構造であって、
前記プラグは、前記コンセントに挿入される挿入部を有するプラグケースを備え、
前記挿入部は、その表面に、前記挿入部の挿入方向に垂直な方向に沿って凹む第１の嵌合凹部を有し、
前記プラグは、前記第１の嵌合凹部から露出する、前記プラグケース内に設けられたプラグ側の第１の端子をさらに備え、
前記コンセントは、
前記挿入部が挿入される挿入凹部が設けられたコンセントケースと、
前記垂直な方向に沿って前記挿入凹部内に突出し、前記垂直な方向に沿って移動することが可能な、コンセント側の第１の端子として機能する第１の可動嵌合凸部と、
前記第１の可動嵌合凸部が前記挿入凹部の外側に向かって押されると、前記第１の可動嵌合凸部を前記挿入凹部の内側に向かって付勢する第１の弾性部材と
を備え、
前記挿入部が前記挿入凹部に挿入される際には、前記挿入部は、前記第１の可動嵌合凸部を前記挿入凹部の外側に向けて押し退けながら前記挿入凹部内を進入して、前記第１の嵌合凹部と前記第１の可動嵌合凸部とが嵌合し、
前記第１の嵌合凹部と前記第１の可動嵌合凸部とが嵌合した状態では、前記第１の可動嵌合凸部が前記挿入部によって前記挿入凹部の外側に向かって押されており、かつ前記プラグ側の第１の端子と前記コンセント側の第１の端子とが相互に接触する、プラグとコンセントの接続構造。
【請求項２】
請求項１に記載のプラグとコンセントの接続構造であって、
前記コンセントは、前記プラグ側の第１の端子と前記コンセント側の第１の端子とが相互に接触した状態において、前記プラグ側の第１の端子を前記コンセント側の第１の端子に向けて付勢する第２の弾性部材をさらに備える、プラグとコンセントの接続構造。
【請求項３】
請求項１及び請求項２のいずれか一つに記載のプラグとコンセントの接続構造であって、
前記挿入部の表面は、前記第１の嵌合凹部から先端に向かって内側に傾斜する第１の傾斜面を含み、
前記挿入部が前記挿入凹部内を進入する際には、
前記第１の傾斜面が前記第１の可動嵌合凸部に対して摺動することによって前記第１の可動嵌合凸部が前記挿入凹部の外側に向かって押し退けられる、プラグとコンセントの接続構造。
【請求項４】
請求項１乃至請求項３のいずれか一つに記載のプラグとコンセントの接続構造であって、
前記挿入部は、その表面に、前記垂直な方向に沿って凹む第２の嵌合凹部をさらに有し、
前記コンセントは、
前記垂直な方向に沿って前記挿入凹部内に突出し、前記垂直な方向に沿って移動することが可能な第２の可動嵌合凸部と、
前記第２の可動嵌合凸部が前記挿入凹部の外側に向かって押されると、前記第２の可動嵌合凸部を前記挿入凹部の内側に向かって付勢する第３の弾性部材と
をさらに備え、
前記挿入部が前記挿入凹部に挿入される際には、前記挿入部は、前記第１及び第２の可動嵌合凸部のそれぞれを前記挿入凹部の外側に向けて押し退けながら前記挿入凹部内を進入して、前記第１及び第２の嵌合凹部と前記第１及び第２の可動嵌合凸部とがそれぞれ嵌合し、
前記第２の嵌合凹部と前記第２の可動嵌合凸部とが嵌合した状態では、前記第２の可動嵌合凸部が前記挿入部によって前記挿入凹部の外側に向かって押されている、プラグとコンセントの接続構造。
【請求項５】
請求項４に記載のプラグとコンセントの接続構造であって、
前記第１及び第２の嵌合凹部は、前記垂直な方向に沿って互いに対向して配置されており、
前記第１及び第２の可動嵌合凸部は、前記垂直な方向に沿って互いに対向して配置されている、プラグとコンセントの接続構造。
【請求項６】
請求項１に記載のプラグとコンセントの接続構造であって、
前記プラグは、
前記プラグケースの表面から露出する第１のロック解除ボタンと、
前記第１のロック解除ボタンに一端が接続され、前記第１の嵌合凹部から他端が露出する、前記プラグケース内に設けられた第１のロック解除部材と
を備え、
前記第１の嵌合凹部と前記第１の可動嵌合凸部とが嵌合した状態において前記第１のロック解除ボタンが押されると、前記第１のロック解除部材の前記他端が前記第１の可動嵌合凸部を前記挿入凹部の外側に向かって押すように前記第１のロック解除部材が回動し、前記第１の嵌合凹部と前記第１の可動嵌合凸部との嵌合が外れるようになる、プラグとコンセントの接続構造。
【請求項７】
請求項６に記載のプラグとコンセントの接続構造であって、
前記第１のロック解除部材は、前記プラグ側の第１の端子として機能する、プラグとコンセントの接続構造。
【請求項８】
請求項６及び請求項７のいずれか一つに記載のプラグとコンセントの接続構造であって、
前記挿入部は、その表面に、前記垂直な方向に沿って凹む第２の嵌合凹部をさらに有し、
前記プラグは、
前記プラグケースの表面から露出する第２のロック解除ボタンと、
前記第２のロック解除ボタンに一端が接続され、前記第２の嵌合凹部から他端が露出する、前記プラグケース内に設けられた第２のロック解除部材と
をさらに備え、
前記コンセントは、
前記垂直な方向に沿って前記挿入凹部内に突出し、前記垂直な方向に沿って移動することが可能な第２の可動嵌合凸部と、
前記第２の可動嵌合凸部が前記挿入凹部の外側に向かって押されると、前記第２の可動嵌合凸部を前記挿入凹部の内側に向かって付勢する第３の弾性部材と
をさらに備え、
前記挿入部が前記挿入凹部に挿入される際には、前記挿入部は、前記第１及び第２の可動嵌合凸部のそれぞれを前記挿入凹部の外側に向けて押し退けながら前記挿入凹部内を進入して、前記第第１及び第２の嵌合凹部と前記第１及び第２の可動嵌合凸部とがそれぞれ嵌合し、
前記第２の嵌合凹部と前記第２の可動嵌合凸部とが嵌合した状態では、前記第２の可動嵌合凸部が前記挿入部によって前記挿入凹部の外側に向かって押されており、
前記第２の嵌合凹部と前記第２の可動嵌合凸部とが嵌合した状態において前記第２のロック解除ボタンが押されると、前記第２のロック解除部材の前記他端が前記第２の可動嵌合凸部を前記挿入凹部の外側に向かって押すように前記第２のロック解除部材が回動し、前記第２の嵌合凹部と前記第２の可動嵌合凸部との嵌合が外れるようになる、プラグとコンセントの接続構造。
【請求項９】
請求項８に記載のプラグとコンセントの接続構造であって、
前記第１及び第２のロック解除ボタンは、前記垂直な方向に沿って互いに対向して配置されており、
前記第１及び第２の嵌合凹部は、前記垂直な方向に沿って互いに対向して配置されており、
前記第１及び第２の可動嵌合凸部は、前記垂直な方向に沿って互いに対向して配置されている、プラグとコンセントの接続構造。
【請求項１０】
請求項１乃至請求項９のいずれか一つに記載のプラグとコンセントの接続構造であって、
前記挿入部は、その先端に位置決め凹部を有し、
前記コンセントは、
前記挿入凹部の底面から前記挿入凹部内に突出し、前記挿入方向に沿って移動可能な可動位置決め凸部と、
前記可動位置決め凸部が前記挿入凹部の外側に向かって押されると、前記可動位置決め凸部を前記挿入凹部の内側に向かって付勢する第４の弾性部材と
をさらに備え、
前記挿入部が前記挿入凹部に挿入されると、前記位置決め凹部と前記可動位置決め凸部とが嵌合し、
前記位置決め凹部と前記可動位置決め凸部とが嵌合した状態では、前記可動位置決め凸部が前記挿入部によって前記挿入凹部の外側に向かって押されている、プラグとコンセントの接続構造。
【請求項１１】
請求項１０に記載のプラグとコンセントの接続構造であって、
前記可動位置決め凸部は、コンセント側の第３の端子として機能し、
前記プラグは、前記位置決め凹部から露出する、前記プラグケース内に設けられたプラグ側の第３の端子をさらに備え、
前記位置決め凹部と前記可動位置決め凸部とが嵌合した状態では、前記プラグ側の第３の端子と前記コンセント側の第３の端子とが相互に接触している、プラグとコンセントの接続構造。
【発明の詳細な説明】
【技術分野】
【０００１】
本発明は、プラグとコンセントの接続構造に関する。
【背景技術】
【０００２】
従来からプラグとコンセントの接続構造として様々な技術が提案されている。例えば、特許文献１には、電源コンセントに接点の接触圧力を増すことのできるロック機構を設け、プラグとの接触を良好にするとともにプラグの不用意な引き抜けを防ぐことが可能な技術が提案されている。
【０００３】
【特許文献１】特開平５−２１１０９号公報
【発明の開示】
【発明が解決しようとする課題】
【０００４】
さて、プラグとコンセントの接続構造においては、製造コスト等の観点から、できるだけ簡単な構造でプラグをコンセントに接続固定できることが望まれている。また、作業性の観点から、できるだけ簡単な方法でプラグをコンセントに接続固定できることが望まれている。
【０００５】
そこで、本発明は上述の問題に鑑みて成されたものであり、簡単な構造でかつ簡単な方法でプラグをコンセントに接続固定することが可能な技術を提供することを目的とする。
【課題を解決するための手段】
【０００６】
この発明のプラグとコンセントの接続構造では、プラグは、コンセントに挿入される挿入部を有するプラグケースを備えている。挿入部は、その表面に、挿入部の挿入方向に垂直な方向に沿って凹む第１の嵌合凹部を有している。プラグは、第１の嵌合凹部から露出する、プラグケース内に設けられたプラグ側の第１の端子をさらに備えている。コンセントは、挿入部が挿入される挿入凹部が設けられたコンセントケースと、挿入方向に垂直な方向に沿って挿入凹部内に突出し、当該垂直な方向に沿って移動することが可能な、コンセント側の第１の端子として機能する第１の可動嵌合凸部と、第１の可動嵌合凸部が挿入凹部の外側に向かって押されると、第１の可動嵌合凸部を挿入凹部の内側に向かって付勢する第１の弾性部材とを備えている。挿入部が挿入凹部に挿入される際には、挿入部は、第１の可動嵌合凸部を挿入凹部の外側に向けて押し退けながら挿入凹部内を進入して、第１の嵌合凹部と第１の可動嵌合凸部とが嵌合する。第１の嵌合凹部と第１の可動嵌合凸部とが嵌合した状態では、第１の可動嵌合凸部が挿入部によって挿入凹部の外側に向かって押されており、かつプラグ側の第１の端子とコンセント側の第１の端子とが相互に接触している。
【発明の効果】
【０００７】
この発明のプラグとコンセントの接続構造によれば、プラグの挿入部は、第１の可動嵌合凸部を挿入凹部の外側に向けて押し退けながら挿入凹部内を進入して、第１の嵌合凹部と第１の可動嵌合凸部とが嵌合する。そして、第１の嵌合凹部と前記第１の可動嵌合凸部とが嵌合した状態では、第１の弾性部材によって第１の可動嵌合凸部は挿入凹部の内側に向かって付勢されている。したがって、プラグをコンセントに挿入するだけで、プラグをコンセントに接続固定することができる。よって、簡単な構造でかつ簡単な方法でプラグをコンセントに接続固定することができる。
【発明を実施するための最良の形態】
【０００８】
図１及び図２は本発明の実施の形態に係るプラグとコンセントの接続構造を示す図である。図１は、プラグ１００と、当該プラグ１００が接続固定されるコンセント２００との外観を示す斜視図であって、図２は、プラグ１００とコンセント２００の内部構造を示す図である。図１，２では、プラグ１００及びコンセント２００は相互に接続される前の状態で示されている。図２での斜線は断面を示している。本実施の形態では、プラグ１００をコンセント２００に挿入するだけで、プラグ１００はコンセント２００に対して接続固定される。そして、プラグ１００に設けられたロック解除ボタンを操作することによって、プラグ１００のコンセント２００に対する固定状態が解除され、プラグ１００をコンセント２００から容易に取り外すことができる。
【０００９】
なお、図１，２中の第１方向Ｄ１は、コンセント２００に対するプラグ１００の挿入方向を示している。また、図１，２中の第２方向Ｄ２は、第１方向Ｄ１に垂直であり、かつプラグ１００をコンセント２００に挿入した状態での当該プラグ１００の厚み方向に垂直な方向を示している。
【００１０】
＜プラグの構造＞
図１，２に示されるように、プラグ１００はプラグケース１を備えている。プラグケース１は、第１方向Ｄ１に沿って長い形状を成しており、やや平たい略箱状のケース本体部１ａと、第１の筒状部１ｂと、第１の筒状部１ｂよりも長くかつ径の小さい第２の筒状部１ｃとで構成されている。ケース本体部１ａと、第１の筒状部１ｂと、第２の筒状部１ｃとは、第１方向Ｄ１に沿ってこの順に並んでおり、第１の筒状部１ｂは、その両端でケース本体部１ａ及び第２の筒状部１ｃとそれぞれ連通している。プラグケース１は、ケース本体部１ａからコンセント２００に挿入される。
【００１１】
図２に示されるように、ケース本体部１ａには、接地電位が印加される接地端子２と、第１及び第２の電源電位がそれぞれ印加される電源端子４，５と、ねじりスプリング９，２９とが収納されている。ケース本体部１ａの上面側の一方の主面と、当該一方の主面を第２方向Ｄ２で挟む２つの側面とが成す稜線部（角部）のそれぞれには傾斜面（テーパ面）２０が設けられている。各傾斜面２０は、ケース本体部１ａの先端から中央部分にかけて存在しており、ケース本体部１ａの一方の主面から、当該一方の主面と対面する他方の主面に向けて下がる方向に傾斜している。接地端子２は、ケース本体部１ａにおける、コンセント２００に挿入される挿入部２１内に配置されている。接地端子２は、挿入部２１内の第２方向Ｄ２における中央部分に位置している。
【００１２】
図３〜５は接地端子２の構造を示す平面図である。図４，５は、接地端子２を図３の矢視Ａ，Ｂから見た際の当該接地端子２の構造をそれぞれ示している。図３〜５に示されるように、接地端子２は板状部材から成る。接地端子２は、コンセント２００が有する後述の接地端子１６と接触する、略長方形の板状の接触部２ａと、当該接触部２ａの短手方向の一方の端面から外側に向かって突出する板状のケーブル固定部２ｂとで構成されている。接触部２ａの短手方向の他方の端面は、接地端子１６と接触する接触面２ａａとなっている。ケーブル固定部２ｂの先端の端面は円弧状に形成されており、ケーブル固定部２ｂにはその厚み方向に貫通する固定穴２ｂｂが設けられている。
【００１３】
図２に示されるように、ケース本体部１ａの先端側の側面には、第１方向Ｄ１に沿って凹む位置決め凹部１２が設けられている。位置決め凹部１２は、プラグ１００の厚み方向に沿って細長く伸びる半円筒状を成している。位置決め凹部１２の第２方向Ｄ２の中央部分には、プラグケース１の厚み方向に沿って細長く伸びる開口部２２が設けられており、当該開口部２２から接地端子２の接触面２ａａが露出している。接地端子２におけるケーブル固定部２ｂの固定穴２ｂｂには、接地ケーブル３ａの露出している芯線の一部が挿入され、当該芯線の一部の先端は、ケーブル固定部２ｂに半田付けされている。接地ケーブル３ａは、第１の筒状部１ｂ及び第２の筒状部１ｃを通って、プラグケース１の外部に導出されている。
【００１４】
電源端子４，５のそれぞれは、やや細長い形状を成しており、第１方向Ｄ１に沿って延在するように配置されている。また、電源端子４，５は、接地端子２を間に挟んで第２方向Ｄ２に沿って互いに対向するように配置されている。
【００１５】
図６〜１０は電源端子４の構造を示す平面図であって、図１１〜１５は電源端子５の構造を示す平面図である。図７〜１０は、電源端子４を図６の矢視Ｃ〜Ｆから見た際の当該電源端子４の構造をそれぞれ示しており、図１２〜１５は、電源端子５を図１１の矢視Ｇ〜Ｊから見た際の当該電源端子５の構造をそれぞれ示している。
【００１６】
図６〜１０に示されるように、電源端子４は、第１の電源ケーブル３ｂが接続されるケーブル固定部４ｂと、コンセント２００が有する後述の電源端子１７と接触する接触部４ｃと、ロック解除補助部４ｄと、ねじりスプリング２９を支持するスプリング支持部４ｅと、これらを連結する連結部４ａとで構成されている。
【００１７】
連結部４ａは、長方形の板状部分の長手方向（長さ方向）の両端部を同一方向に垂直に折り曲げた形状を成している。ケーブル固定部４ｂは、連結部４ａの折り曲げられた一方の端部における、連結部４ａの短手方向（幅方向）の一方の端面から、連結部４ａの長手方向に沿って外側に突出する板状部分であって、その先端の端面が円弧状に形成されている。そして、ケーブル固定部４ｂにはその厚み方向に貫通する固定穴４ｂｂが設けられている。
【００１８】
スプリング支持部４ｅは、連結部４ａの長手方向の中央部分における、連結部４ａの短手方向の他方の端面から、連結部４ａの両端部が折り曲げられている方向と同じ方向に向かって突出する板状部分であって、その先端の端面が円弧状に形成されている。スプリング支持部４ｅの内側の主面には、ねじりスプリング２９に挿入される挿入軸４ｅｅが立設されている。連結部４ａにおけるスプリング支持部４ｅの近傍には、ねじりスプリング２９の一端が挿入される挿入穴４ａａが設けられている。ねじりスプリング２９の他端は、プラグケース１のケース本体部１ａの内面に固定されている。そして、電源端子４は、挿入軸４ｅｅを軸として回動することが可能となっている。
【００１９】
接触部４ｃは、連結部４ａの折り曲げられた他方の端部における先端の端面から、当該他方の端部が折り曲げられた方向と同じ方向に向かって突出する板状部分であって、当該他方の端部と同一平面内に配置されている。接触部４ｃの幅は連結部４ａの幅より大きく、接触部４ｃの厚みは連結部４ａの厚みと同一に設定されている。接触部４ｃの先端の開放端面は、コンセント２００の電源端子１７と接触する接触面４ｃｃとなっている。
【００２０】
接触部４ｃは、電源端子４の、コンセント２００の電源端子１７との接触を確保する機能だけではなく、後述するロック解除ボタン２６が押されると、接触する電源端子１７を移動させて、プラグ１００のコンセント２００に対する固定状態を解除する機能も有している。つまり、電源端子４は、プラグ１００のコンセント２００に対する固定状態を解除するためのロック解除部材としても機能する。
【００２１】
ロック解除補助部４ｄは、プラグ１００のコンセント２００に対する固定状態を解除する際に、接触部４ｃを補助するように、接触部４ｃとともに、コンセント２００の電源端子１７を移動させる。ロック解除補助部４ｄは、連結部４ａよりも幅が小さい長方形の板状部分であって、連結部４ａの折り曲げられた他方の端部と、それに繋がる接触部４ｃとに跨るようにそれらの外側の主面に立設されている。ロック解除補助部４ｄは、連結部４ａの折り曲げられていない部分の外側の主面から、接触部４ｃの先端の開放端面にまで伸びており、ロック解除補助部４ｄの先端の端面は、接触部４ｃの接触面４ｃｃと繋がる傾斜面（テーパ面）４ｄｄとなっている。傾斜面４ｄｄは、接触面４ｃｃから内側に後退するように傾斜している。
【００２２】
電源端子５の構造は、図２及び図１１〜１５に示されるように、電源端子４の構造と軸対称を成している。電源端子５は、第２の電源ケーブル３ｃが接続されるケーブル固定部５ｂと、コンセント２００が有する後述の電源端子１８と接触する接触部５ｃと、ロック解除補助部５ｄと、ねじりスプリング９を支持するスプリング支持部５ｅと、これらを連結する連結部５ａとで構成されている。
【００２３】
連結部５ａは連結部４ａと同様の構造を有しており、ケーブル固定部５ｂはケーブル固定部４ｂと同様の構造を有しており、スプリング支持部５ｅはスプリング支持部４ｅと同様の構造を有している。ケーブル固定部５ｂには、その厚み方向に貫通する固定穴５ｂｂが設けられており、スプリング支持部５ｅの内側の主面には、ねじりスプリング９に挿入される挿入軸５ｅｅが立設されている。連結部５ａにおけるスプリング支持部５ｅの近傍には、ねじりスプリング９の一端が挿入される挿入穴５ａａが設けられている。ねじりスプリング９の他端は、プラグケース１のケース本体部１ａの内面に固定されている。そして、電源端子５は、挿入軸５ｅｅを軸として回動することが可能となっている。
【００２４】
接触部５ｃは、接触部４ｃと同様の構造を有している。接触部５ｃの幅は連結部５ａの幅より大きく、接触部５ｃの厚みは連結部５ａの厚みと同一である。接触部５ｃの先端の開放端面は、コンセント２００の電源端子１８と接触する接触面５ｃｃとなっている。接触部５ｃは、電源端子５の電源端子１８との接触を確保する機能を有するだけではなく、後述するロック解除ボタン６が押されると、接触する電源端子１８を移動させて、プラグ１００のコンセント２００に対する固定状態を解除する機能も有している。つまり、電源端子５は、プラグ１００のコンセント２００に対する固定状態を解除するためのロック解除部材としても機能する。
【００２５】
ロック解除補助部５ｄは、ロック解除補助部４ｄと同様の構造を有している。ロック解除補助部５ｄは、プラグ１００のコンセント２００に対する固定状態を解除する際に、接触部５ｃを補助するように、接触部５ｃとともに、コンセント２００の電源端子１８を移動させる。ロック解除補助部５ｄの先端の端面は、接触部５ｃの接触面５ｃｃと繋がる傾斜面（テーパ面）５ｄｄとなっている。傾斜面５ｄｄは、接触面５ｃｃから内側に後退するように傾斜している。
【００２６】
図２に示されるように、ケース本体部１ａの挿入部２１における第２方向Ｄ２で対面する２つの側面の一方には、第２方向Ｄ２に沿って凹む嵌合凹部１３が設けられている。嵌合凹部１３は、プラグケース１の厚み方向に沿って延在する細長の半円筒状の凹部である。嵌合凹部１３の第１方向Ｄ１での中央部分には、プラグケース１の厚み方向に長い開口部２３が設けられており、電源端子４の接触面４ｃｃ及び傾斜面４ｄｄは開口部２３から露出している。また、ケース本体部１ａの挿入部２１における第２方向Ｄ２で対面する２つの側面の他方には、第２方向Ｄ２に沿って嵌合凹部１３と対向する位置に、第２方向Ｄ２に沿って凹む嵌合凹部１４が設けられている。嵌合凹部１４は、プラグケース１の厚み方向に沿って延在する細長の半円筒状の凹部である。嵌合凹部１４の第１方向Ｄ１での中央部分には、プラグケース１の厚み方向に長い開口部２４が設けられており、電源端子５の接触面５ｃｃ及び傾斜面５ｄｄは開口部２４から露出している。
【００２７】
また、挿入部２１における第２方向Ｄ２で対面する２つの側面には、傾斜面１０，３０がそれぞれ設けられている。傾斜面３０は、嵌合凹部１３から、挿入部２１の先端の側面に向かって内側に傾斜し、傾斜面１０は、嵌合凹部１４から、挿入部２１の先端の側面に向かって内側に傾斜している。これにより、挿入部２１では、嵌合凹部１３，１４から先端の側面に向かって徐々に細くなっている。
【００２８】
ケース本体部１ａにおける、挿入部２１よりも第１の筒状部１ｂ側の部分における第２方向Ｄ２で対面する２つの側面にはロック解除ボタン６，２６がそれぞれ設けられている。ロック解除ボタン６，２６は第２方向Ｄ２に沿って互いに対向するように配置されており、それらの両方が押されると、プラグ１００のコンセント２００に対する固定状態が解除される。
【００２９】
ロック解除ボタン６は、ケース本体部１ａから露出する押下部６ａと、押下部６ａに繋がった棒状の支持軸６ｂと、圧縮スプリング７と、抜け防止リング８とで構成されている。支持軸６ｂは、押下部６ａから、ケース本体部１ａの表面に設けられた開口部を通って、ケース本体部１ａの内部に到達している。圧縮スプリング７には支持軸６ｂが挿入されており、圧縮スプリング７は、自然長から縮められた状態で、押下部６ａとケース本体部１ａとに挟まれている。抜け防止リング８は、支持軸６ｂのケース本体部１ａ側の端部に、当該端部を取り囲むように取り付けられている。押下部６ａが押下されていない状態では、抜け防止リング８は、ケース本体部１ａと内側から当接している。これにより、支持軸６ｂがケース本体部１ａから抜けることを防止することができるとともに、押下されていない状態でのロック解除ボタン６の姿勢を保持することができる。電源端子５は、ケース本体部１ａの表面に設けられた上述の開口部２４から、当該開口部２４よりも第１の筒状部１ｂ側に位置する支持軸６ｂまで伸びており、電源端子５における連結部５ａの折り曲げられた両端部のうちのケーブル固定部５ｂが繋がった方の端部は、支持軸６ｂと当接している。
【００３０】
ロック解除ボタン２６は、ロック解除ボタン６と同様の構造を有しており、ケース本体部１ａから露出する押下部２６ａと、押下部２６ａに繋がった棒状の支持軸２６ｂと、圧縮スプリング２７と、抜け防止リング２８とで構成されている。支持軸２６ｂは、押下部２６ａから、ケース本体部１ａの表面に設けられた開口部を通って、ケース本体部１ａの内部に到達している。圧縮スプリング２７には支持軸２６ｂが挿入されており、圧縮スプリング２７は、自然長から縮められた状態で、押下部２６ａとケース本体部１ａとに挟まれている。抜け防止リング２８は、支持軸２６ｂのケース本体部１ａ側の端部に、当該端部を取り囲むように取り付けられている。押下部２６ａが押下されていない状態では、抜け防止リング２８は、ケース本体部１ａと内側から当接している。これにより、支持軸２６ｂがケース本体部１ａから抜けることを防止することができるとともに、押下されていない状態でのロック解除ボタン２６の姿勢を保持することができる。電源端子４は、ケース本体部１ａの表面に設けられた上述の開口部２３から、当該開口部２３よりも第１の筒状部１ｂ側に位置する支持軸２６ｂまで伸びており、電源端子４における連結部４ａの折り曲げられた両端部のうちのケーブル固定部４ｂが繋がった方の端部は支持軸２６ｂと当接している。
【００３１】
本実施の形態では、ロック解除ボタン６が押下されておらず、かつプラグ１００がコンセント２００に接続されていない状態では、ねじりスプリング９には、ねじりモーメントが作用しておらず、ねじりスプリング９は自然状態となっている。そして、ロック解除ボタン６が押下されておらず、かつプラグ１００がコンセント２００に接続されていない状態での電源端子５の姿勢は、ねじりスプリング９によって保持されている。したがって、ロック解除ボタン６が押下されておらず、かつプラグ１００がコンセント２００に挿入されていない状態において、電源端子５の接触面５ｃｃ及び傾斜面５ｄｄが、ケース本体部１ａから突出することを防止でき、電源端子５が、プラグ１００の外部の物体に接触することを防止できる。
【００３２】
同様に、ロック解除ボタン２６が押下されておらず、かつプラグ１００がコンセント２００に接続されていない状態では、ねじりスプリング２９には、ねじりモーメントが作用しておらず、ねじりスプリング２９は自然状態となっている。そして、ロック解除ボタン２６が押下されておらず、かつプラグ１００がコンセント２００に接続されていない状態での電源端子４の姿勢は、ねじりスプリング２９によって保持されている。したがって、ロック解除ボタン２６が押下されておらず、かつプラグ１００がコンセント２００に挿入されていない状態において、電源端子４の接触面４ｃｃ及び傾斜面４ｄｄが、ケース本体部１ａから突出することを防止でき、電源端子４が、プラグ１００の外部の物体に接触することを防止できる。
【００３３】
ロック解除ボタン６の押下部６ａが押下されると、圧縮スプリング７が縮まり、押下部６ａが押下されなくなると、圧縮スプリング７の弾性力で押下部６ａが元の位置に戻るようになる。また、押下部６ａが押下されると、支持軸６ｂが電源端子５の端部を押すようになり、接触面５ｃｃ及び傾斜面５ｄｄが外側に、ケーブル固定部５ｂが内側に向かうように、電源端子５が、ねじりスプリング９に挿入された挿入軸５ｅｅを回動軸として回動するようになる。これにより、ねじりスプリング９の２本のアームの角度が大きくなり、接触部５ｃ及びロック解除補助部５ｄが開口部２４内により深く入り込むようになる。押下部６ａが押下された状態では、ねじりスプリング９にねじりモーメントが作用する。押下部６ａが押下されなくなると、ねじりスプリング９の弾性力により、電源端子５は元の姿勢に戻るようになる。後述するように、プラグ１００がコンセント２００に接続されると、コンセント２００側の電源端子１７によって、プラグ１００側の電源端子５の接触面５ｃｃが押されるようになる。そうすると、接触面５ｃｃ及び傾斜面５ｄｄが内側に、ケーブル固定部５ｂが外側に向かうように、電源端子５が挿入軸５ｅｅを回動軸として回動するようになり、ねじりスプリング９の２本のアームの角度が小さくなる。これにより、プラグ１００がコンセント２００に接続された状態では、ねじりスプリング９に対してねじりモーメントが作用するようになる。その結果、ねじりスプリング９の弾性力により、電源端子５が電源端子１８に向けて付勢されるようになる。
【００３４】
また、ロック解除ボタン２６の押下部２６ａが押下されると、圧縮スプリング２７が縮まり、押下部２６ａが押下されなくなると、圧縮スプリング２７の弾性力で押下部２６ａが元の位置に戻るようになる。押下部２６ａが押下されると、支持軸２６ｂが電源端子４の端部を押すようになり、接触面４ｃｃ及び傾斜面４ｄｄが外側に、ケーブル固定部４ｂが内側に向かうように、電源端子４が、ねじりスプリング２９に挿入された挿入軸４ｅｅを回動軸として回動するようになる。これにより、ねじりスプリング２９の２本のアームの角度が大きくなり、接触部４ｃ及びロック解除補助部４ｄが開口部２３内により深く入り込むようになる。押下部２６ａが押下された状態では、ねじりスプリング２９にねじりモーメントが作用する。押下部２６ａが押下されなくなると、ねじりスプリング２９の弾性力により、電源端子４は元の姿勢に戻るようになる。後述するように、プラグ１００がコンセント２００に接続されると、コンセント２００側の電源端子１７によって、プラグ１００側の電源端子４の接触面４ｃｃが押されるようになる。そうすると、接触面４ｃｃ及び傾斜面４ｄｄが内側に、ケーブル固定部４ｂが外側に向かうように、電源端子４が挿入軸４ｅｅを回動軸として回動するようになり、ねじりスプリング２９の２本のアームの角度が小さくなる。これにより、プラグ１００がコンセント２００に接続された状態では、ねじりスプリング２９に対してねじりモーメントが作用するようになる。その結果、ねじりスプリング２９の弾性力により、電源端子４が電源端子１７に向けて付勢されるようになる。
【００３５】
＜コンセントの構造＞
コンセント２００はコンセントケース１５を備えている。コンセントケース１５は、プラグ１００の挿入部２１が挿入される挿入凹部３６を有する枡形のケース本体部３５と、ケース本体部３５の開口端部を取り囲む鍔状部３７と、コンセント２００側の接地端子１６を支持する接地端子支持部４０と、コンセント２００側の電源端子１７，１８をそれぞれ支持する電源端子支持部３９，３８とで構成されている。
【００３６】
図１に示されるように、鍔状部３７には、コンセントケース１５を壁等に取り付ける際に利用される２つの取付穴３７ａが設けられている。２つの取付穴３７ａは、第１方向Ｄ１及び第２方向Ｄ２に垂直な方向で挿入凹部３６を間に挟んで対向するように配置されている。
【００３７】
挿入凹部３６はプラグ１００の挿入部２１の外形に応じた形状を成している。上述のように、挿入部２１では、上面側の一方の主面と、第２方向Ｄ２で対面する２つの側面との稜線部のそれぞれに傾斜面２０が設けられている。したがって、挿入部２１を先端側から見た際の当該挿入部２１の平面視外形（以後、単に「挿入部２１の平面視外形」と呼ぶ）は、四角形の上側２つの角部を落として得られる六角形となる。そして、挿入凹部３６を開口端側から見た際の当該挿入凹部３６の平面視形状（以後、単に「挿入凹部３６の平面視形状」と呼ぶ）は、挿入部２１の平面視外形に応じて、四角形の上側２つの角部を落として得られる六角形となっており、挿入部２１の平面視外形と相似形となっている。これにより、挿入部２１を挿入凹部３６に挿入できるプラグ１００の姿勢が一つに定まり、プラグ１００が不適切な姿勢でコンセント２００に挿入されることを防止できる。
【００３８】
接地端子支持部４０は、枡形のケース本体部３５の底部の外面から外側に伸びて、当該底部と平行に成るように直角に折れ曲がったＬ字型の板状部分である。電源端子支持部３８，３９のそれぞれは、鍔状部３７のケース本体部３５側の主面に立設された板状部分である。電源端子支持部３８，３９は、第２方向Ｄ２において、ケース本体部３５を間に挟んで互いに対向するように配置されている。
【００３９】
図１６〜１９は接地端子１６の構造を示す平面図である。図１７〜１９は、接地端子１６を図１６の矢視Ｋ〜Ｍから見た際の当該接地端子１６の構造をそれぞれ示している。図１６〜１９に示されるように、接地端子１６は、一方向に長く伸びた形状を成しており、端子本体部１６ａと、ケーブル固定部１６ｂと、支持軸１６ｃと、プラグ１００側の接地端子２と接触する接触部１６ｄとで構成されている。
【００４０】
端子本体部１６ａは、一方向に長い直方体において、その長手方向の一方の面だけを、突出するように半円筒状の曲面に形成した形状を成している。端子本体部１６ａの先端の半円筒状の曲面には、当該曲面から突出するように細長の直方体形状を成す接触部１６ｄが設けられている。接触部１６ｄは、端子本体部１６ａの先端の半円筒状の曲面の湾曲方向に垂直な方向に沿って伸びている。端子本体部１６ａから突出する接触部１６ｄの先端の長方形の面は、プラグ１００の接地端子２の接触面２ａａに接触する接触面１６ｄｄとなる。
【００４１】
ケーブル固定部１６ｂは、端子本体部１６ａにおける、接触部１６ｄとは反対側の長手方向の端部の外周面から外側に突出する板状部分であって、その先端の端面は円弧状に形成されている。ケーブル固定部１６ｂには、その厚み方向に貫通する固定穴１６ｂｂが設けられている。棒状の支持軸１６ｃは、端子本体部１６ａにおける、接触部１６ｄとは反対側の長手方向の一方の面から、接地端子１６の長手方向に沿って外側に伸びている。
【００４２】
図２０〜２３は電源端子１７の構造を示す平面図である。図２１〜２３は、電源端子１７を図２０の矢視Ｎ〜Ｐから見た際の当該電源端子１７の構造をそれぞれ示している。図２０〜２３に示されるように、電源端子１７は、一方向に長く伸びた形状を成しており、端子本体部１７ａと、ケーブル固定部１７ｂと、支持軸１７ｃと、プラグ１００側の電源端子４と接触する接触部１７ｄとで構成されている。
【００４３】
端子本体部１７ａは、直方体において、それを構成する６面のうちのある一つの面だけを、突出するように半円筒状の曲面に形成した形状を成しており、その半円筒状の曲面と、それに対向する面とが、電源端子１７の長手方向に対して垂直を成すように配置されている。端子本体部１７ａの半円筒状の曲面には、当該曲面から突出するように細長の直方体形状を成す接触部１７ｄが設けられている。接触部１７ｄは、端子本体部１７ａの半円筒状の曲面の湾曲方向に垂直な方向に沿って伸びている。端子本体部１７ａから突出する接触部１７ｄの先端の長方形の面は、プラグ１００の電源端子４の接触面４ｃｃに接触する接触面１７ｄｄとなる。
【００４４】
棒状の支持軸１７ｃは、端子本体部１７ａにおける、半円筒状の曲面と対向する面から、電源端子１７の長手方向に沿って外側に伸びている。ケーブル固定部１７ｂは、電源端子１７の長手方向における、端子本体部１７ａの支持軸１７ｃ側の端部の外周面から外側に突出する板状部分であって、その先端の端面は円弧状に形成されている。ケーブル固定部１７ｂには、その厚み方向に貫通する固定穴１７ｂｂが設けられている。
【００４５】
図２４〜２７は電源端子１８の構造を示す平面図である。図２５〜２７は、電源端子１８を図２４の矢視Ｑ〜Ｓから見た際の当該電源端子１８の構造をそれぞれ示している。図２４〜２７に示されるように、電源端子１８は、電源端子１７と同様の構造を有している。電源端子１８は、一方向に長く伸びた形状を成しており、端子本体部１８ａと、ケーブル固定部１８ｂと、支持軸１８ｃと、プラグ１００側の電源端子５と接触する接触部１８ｄとで構成されている。
【００４６】
端子本体部１８ａは、直方体において、それを構成する６面のうちのある一つの面だけを、突出するように半円筒状の曲面にした形状を成しており、その半円筒状の曲面と、それに対向する面とが、電源端子１８の長手方向に対して垂直を成すように配置されている。端子本体部１８ａの半円筒状の曲面には、当該曲面から突出するように細長の直方体形状を成す接触部１８ｄが設けられている。接触部１８ｄは、端子本体部１８ａの半円筒状の曲面の湾曲方向に垂直な方向に沿って伸びている。端子本体部１７ａから突出する接触部１７ｄの先端の長方形の面は、プラグ１００の電源端子５の接触面５ｃｃに接触する接触面１８ｄｄとなる。
【００４７】
棒状の支持軸１８ｃは、端子本体部１８ａにおける、半円筒状の曲面と対向する面から、電源端子１８の長手方向に沿って外側に伸びている。ケーブル固定部１８ｂは、電源端子１８の長手方向における、端子本体部１８ａの支持軸１８ｃ側の端部の外周面から外側に突出する板状部分であって、その先端の端面は円弧状に形成されている。ケーブル固定部１８ｂには、その厚み方向に貫通する固定穴１８ｂｂが設けられている。
【００４８】
以上のような構造を有する接地端子１６では、接地電位が印加された図示しない接地ケーブルの露出した芯線の一部が、ケーブル固定部１６ｂの固定穴１６ｂｂに挿入されて、当該芯線の一部の先端は、ケーブル固定部１６ｂに半田付けされる。これにより、接地ケーブルを通じて接地端子１６に接地電位が印加される。
【００４９】
また、電源端子１７では、第１の電源電位が印加された図示しない電源ケーブルの露出した芯線の一部が、ケーブル固定部１７ｂの固定穴１７ｂｂに挿入されて、当該芯線の一部の先端は、ケーブル固定部１７ｂに半田付けされる。これにより、電源端子１７に第１の電源電位が印加される。
【００５０】
また、電源端子１８では、第２の電源電位が印加された図示しない電源ケーブルの露出した芯線の一部が、ケーブル固定部１８ｂの固定穴１８ｂｂに挿入されて、当該芯線の一部の先端は、ケーブル固定部１８ｂに半田付けされる。これにより、電源端子１８に第２の電源電位が印加される。
【００５１】
接地端子１６は、挿入凹部３６内に部分的に突出するように、第１方向Ｄ１に沿って移動可能にコンセントケース１５に取り付けられている。接地端子１６は、プラグ１００の位置決め凹部１２と嵌合する可動位置決め凸部として機能する。
【００５２】
図２に示されるように、接地端子１６の端子本体部１６ａは、その先端の半円筒状の曲面と接触部１６ｄとが挿入凹部３６内に位置するように、ケース本体部３５の外側から、ケース本体部３５の底部に設けられた貫通孔を通って挿入凹部３６内にまで達している。これにより、接地端子１６が挿入凹部３６の底面から挿入凹部３６内に突出するようになる。
【００５３】
支持軸１６ｃは、端子本体部１６ａから、接地端子支持部４０における、ケース本体部３５と所定距離を成して対向する部分に設けられた貫通孔を通って、コンセントケース１５の外側にまで伸びている。支持軸１６ｃの接地端子支持部４０よりも外側の端部には、その周囲を取り囲む抜け防止リング４１が取り付けられてる。支持軸１６ｃには圧縮スプリング４６が挿入されており、当該圧縮スプリング４６は、自然長から縮められた状態で、端子本体部１６ａと接地端子支持部４０とに挟まれている。そして、抜け防止リング４１は、接地端子支持部４０と外側から当接している。これにより、支持軸１６ｃが接地端子支持部４０から抜けることを防止することができるとともに、接地端子１６の姿勢を保持することができる。圧縮スプリング４６は、接地端子１６の接触部１６ｄが挿入凹部３６の外側に向かって押されるとさらに縮み、自身の弾性力によって、接地端子１６を挿入凹部３６の内側に向かって付勢するようになる。
【００５４】
電源端子１７，１８のそれぞれは、挿入凹部３６内に部分的に突出するように、第２方向Ｄ２に沿って移動可能にコンセントケース１５に取り付けられている。図２に示されるように、電源端子１７，１８は、接触面１７ｄｄ，１８ｄｄが第２方向Ｄ２で互いに対面するように、第２方向Ｄ２に沿って互いに対向して配置されている。電源端子１７はプラグ１００の嵌合凹部１３と嵌合する可動嵌合凸部として機能し、電源端子１８はプラグ１００の嵌合凹部１４と嵌合する可動嵌合凸部として機能する。
【００５５】
電源端子１７の端子本体部１７ａは、その半円筒状の曲面と接触部１７ｄとが挿入凹部３６内に位置するように、ケース本体部３５の外側から、ケース本体部３５における第２方向Ｄ２で対面する２つの側部の一方に設けられた貫通孔を通って挿入凹部３６内にまで達している。これにより、電源端子１７が、挿入凹部３６の側面から第２方向Ｄ２に沿って挿入凹部３６内に突出するようになる。
【００５６】
支持軸１７ｃは、端子本体部１７ａから、電源端子支持部３９に設けられた貫通孔を通って、コンセントケース１５の外側にまで伸びている。支持軸１７ｃの電源端子支持部３９よりも外側の端部には、その周囲を取り囲む抜け防止リング４２が取り付けられている。支持軸１７ｃには圧縮スプリング４７が挿入されており、当該圧縮スプリング４７は、自然長から縮められた状態で、端子本体部１７ａと電源端子支持部３９とに挟まれている。そして、抜け防止リング４２は、電源端子支持部３９と外側から当接している。これにより、支持軸１７ｃが電源端子支持部３９から抜けることを防止することができるとともに、電源端子１７の姿勢を保持することができる。圧縮スプリング４７は、電源端子１７の接触部１７ｄが挿入凹部３６の外側に向かって押されるとさらに縮み、自身の弾性力によって、電源端子１７を挿入凹部３６の内側に向かって付勢するようなる。
【００５７】
電源端子１８の端子本体部１８ａは、その半円筒状の曲面と接触部１８ｄとが挿入凹部３６内に位置するように、ケース本体部３５の外側から、ケース本体部３５における第２方向Ｄ２で対面する２つの側部の他方に設けられた貫通孔を通って挿入凹部３６内にまで達している。これにより、電源端子１８が、挿入凹部３６の側面から第２方向Ｄ２に沿って挿入凹部３６内に突出するようになる。
【００５８】
支持軸１８ｃは、端子本体部１８ａから、電源端子支持部３８に設けられた貫通孔を通って、コンセントケース１５の外側にまで伸びている。支持軸１８ｃの電源端子支持部３８よりも外側の端部には、その周囲を取り囲む抜け防止リング４３が取り付けられてる。支持軸１８ｃには圧縮スプリング４８が挿入されており、当該圧縮スプリング４８は、自然長から縮められた状態で、端子本体部１８ａと電源端子支持部３８とに挟まれている。そして、抜け防止リング４３は、電源端子支持部３８と外側から当接している。これにより、支持軸１８ｃが電源端子支持部３８から抜けることを防止することができるとともに、電源端子１８の姿勢を保持することができる。圧縮スプリング４８は、電源端子１８の接触部１８ｄが挿入凹部３６の外側に向かって押されるとさらに縮み、自身の弾性力によって、電源端子１８を挿入凹部３６の内側に向かって付勢するようなる。
【００５９】
＜プラグのコンセントへの接続固定＞
以上のような構造を有するプラグ１００とコンセント２００とを接続する際には、プラグ１００の挿入部２１を、コンセント２００の挿入凹部３６に挿入する。上述のように、本実施の形態では、プラグ１００の挿入部２１の上面側の主面と側面との稜線部に傾斜面２０を設けるとともに、コンセント２００の挿入凹部３６を挿入部２１の外形に応じた形状としているため、挿入部２１を挿入凹部３６に挿入することができるプラグ１００の姿勢は一つに定められる。したがって、プラグ１００を不適切な姿勢でコンセント２００に挿入することを防止できる。
【００６０】
挿入部２１が挿入凹部３６に挿入される際には、挿入部２１は、挿入凹部３６内に突出する電源端子１７，１８を外側に向けて押し退けながら挿入凹部３６内を進入する。そして、挿入部２１の嵌合凹部１３，１４と、コンセント２００の電源端子１７，１８とがそれぞれ嵌合するようになるとともに、挿入部２１の先端の位置決め凹部１２と、コンセント２００の接地端子１６とが嵌合するようになる。挿入部２１が挿入凹部３６内を進入する際には、挿入部２１の側面に設けられた傾斜面１０及び傾斜面３０が、電源端子１８及び電源端子１７に対してそれぞれ摺動することによって、電源端子１７，１８が挿入凹部３６の外側に向かって押し退けられる。図２８は、プラグ１００をコンセント２００に接続した様子を示す図である。
【００６１】
図２８に示されるように、嵌合凹部１３と電源端子１７とが嵌合した状態では、電源端子１７が挿入部２１によって挿入凹部３６の外側に向かって押されている。したがって、嵌合凹部１３と電源端子１７とが嵌合した状態では、圧縮スプリング４７によって電源端子１７は挿入凹部３６の内側に向かって付勢されている。
【００６２】
同様に、嵌合凹部１４と電源端子１８とが嵌合した状態では、電源端子１８が挿入部２１によって挿入凹部３６の外側に向かって押されている。したがって、嵌合凹部１４と電源端子１８とが嵌合した状態では、圧縮スプリング４８によって電源端子１８は挿入凹部３６の内側に向かって付勢されている。
【００６３】
このように、プラグ１００をコンセント２００に挿入すると、電源端子１７が挿入凹部３６の内部に向かって付勢された状態で嵌合凹部１３と嵌合するとともに、電源端子１８が挿入凹部３６の内部に向かって付勢された状態で嵌合凹部１４と嵌合するため、プラグ１００をコンセント２００に挿入するだけで、プラグ１００をコンセント２００に接続固定することができる。よって、簡単な構造でかつ簡単な方法でプラグ１００をコンセント２００に接続固定することができる。
【００６４】
また、プラグ１００をコンセント２００に挿入して、位置決め凹部１２と接地端子１６とが嵌合すると、接地端子１６が挿入部２１によって挿入凹部３６の外側に向かって押されるようになる。その結果、位置決め凹部１２と接地端子１６とが嵌合した状態では、縮んだ圧縮スプリング４６によって接地端子１６は挿入凹部３６の内側に向かって付勢されるようになる。これにより、プラグ１００の挿入部２１が挿入凹部３６内でがたつくことを防止することができる。
【００６５】
また、図２８に示されるように、嵌合凹部１３と電源端子１７とが嵌合すると、電源端子１７の先端の接触部１７ｄが、嵌合凹部１３に設けられた開口部２３内に入り込むようになり、接触部１７ｄの接触面１７ｄｄが、開口部２３から露出する電源端子４の接触面４ｃｃと面接触するようになる。したがって、プラグ１００をコンセント２００に挿入するだけで、電源端子４と電源端子１７との電気的接続を確保することができる。さらに、嵌合凹部１３と電源端子１７とが嵌合した状態では、圧縮スプリング４７が電源端子１７を挿入凹部３６の内側に向かって付勢しているため、電源端子４と電源端子１７との電気的接続を十分に確保することができる。
【００６６】
また、嵌合凹部１３と電源端子１７とが嵌合すると、電源端子１７の接触部１７ｄが、嵌合凹部１３の開口部２３内に入り込んで、電源端子４の接触部４ｃをプラグケース１の内部に向けて少し押すようになる。その結果、電源端子４が挿入軸４ｅｅを回動軸として少し回動するようになり、ねじりスプリング２９の２つのアームの間の角度が小さくなる。これにより、ねじりスプリング２９の弾性力によって、電源端子４の接触部４ｃが電源端子１７に向けて付勢されるようになり、電源端子４と電源端子１７との電気的接続をより十分に確保することができる。
【００６７】
同様に、嵌合凹部１４と電源端子１８とが嵌合すると、電源端子１８の接触部１８ｄの接触面１８ｄｄが、嵌合凹部１４の開口部２４から露出する電源端子５の接触面５ｃｃと面接触するようになる。したがって、プラグ１００をコンセント２００に挿入するだけで、電源端子５と電源端子１８との電気的接続を確保することができる。さらに、嵌合凹部１４と電源端子１８とが嵌合した状態では、圧縮スプリング４８が電源端子１８を挿入凹部３６の内側に向かって付勢しているため、電源端子５と電源端子１８との電気的接続を十分に確保することができる。
【００６８】
また、嵌合凹部１４と電源端子１８とが嵌合すると、電源端子１８の接触部１８ｄが、嵌合凹部１４の開口部２４内に入り込んで、電源端子５の接触部５ｃをプラグケース１の内部に向けて少し押すようになる。その結果、電源端子５が挿入軸５ｅｅを回動軸として少し回動するようになり、ねじりスプリング９の２つのアームの間の角度が小さくなる。これにより、ねじりスプリング９の弾性力によって、電源端子５の接触部５ｃが電源端子１８に向けて付勢されるようになり、電源端子５と電源端子１８との電気的接続をより十分に確保することができる。
【００６９】
また、図２８に示されるように、位置決め凹部１２と接地端子１６とが嵌合すると、接地端子１６の先端の接触部１６ｄが、位置決め凹部１２に設けられた開口部２２内に入り込むようになり、接触部１６ｄの接触面１６ｄｄが、開口部２２から露出する接地端子２の接触面２ａａと面接触するようになる。したがって、プラグ１００をコンセント２００に挿入するだけで、接地端子２と接地端子１６との電気的接続を確保することができる。さらに、位置決め凹部１２と接地端子１６とが嵌合した状態では、圧縮スプリング４６が接地端子１６を挿入凹部３６の内側に向けて付勢しているため、接地端子２と接地端子１６との電気的接続を十分に確保することができる。
【００７０】
また、本実施の形態では、上述のように、プラグ１００の挿入部２１がコンセント２００の挿入凹部３６内を進入する際には、挿入部２１の嵌合凹部１３から先端に向かって内側に傾斜する傾斜面３０が電源端子１７に対して摺動することによって、電源端子１７が挿入凹部３６の外側に向かって押し退けられるとともに、挿入部２１の嵌合凹部１４から先端に向かって内側に傾斜する傾斜面１０が電源端子１８に対して摺動することによって、電源端子１８が挿入凹部３６の外側に向かって押し退けられるため、挿入部２１を滑らかに挿入凹部３６に挿入することができる。
【００７１】
また、本実施の形態では、プラグ１００をコンセント２００に挿入すると、嵌合凹部１３，１４と電源端子１７，１８とがそれぞれ嵌合することから、プラグ１００とコンセント２００とが複数個所で固定されるようになる。したがって、プラグ１００のコンセント２００への接続固定を強化することができる。
【００７２】
また、嵌合凹部１３，１４、あるいは電源端子１７，１８は、コンセント２００に対するプラグ１００の挿入方向に対して垂直な第２方向Ｄ２に沿って互いに対向して配置されているため、プラグ１００とコンセント２００の２つの固定箇所が、第２方向Ｄ２に沿って互いに対向するようになる。よって、プラグ１００がコンセント２００からさらに抜けにくくなり、プラグ１００のコンセント２００への接続固定をさらに強化することができる。
【００７３】
＜プラグのコンセントへの固定の解除＞
ロック解除ボタン６，２６の両方が押されると、プラグ１００のコンセント２００に対する固定状態が解除される。そして、ロック解除ボタン６，２６の両方が押された状態で、プラグ１００がコンセント２００に対する挿入方向とは逆方向に移動させられると、プラグ１００の挿入部２１がコンセント２００の挿入凹部３６から退出し、プラグ１００をコンセント２００から取り外すことができる。図２９はロック解除ボタン６，２６が押された状態でのプラグ１００とコンセント２００との内部構造を示す図である。
【００７４】
図２９に示されるように、ロック解除ボタン６が押されると、電源端子５の嵌合凹部１４側の一端にある接触面５ｃｃが電源端子１８を外側に向かって押すように電源端子５が回動し、嵌合凹部１４と電源端子１８との嵌合が外れるようになる。このとき、電源端子５が回動して、接触面５ｃｃがプラグ１００の後方側（第１の筒状部１ｂ側）に少し移動することから、接触面５ｃｃと、電源端子１８の接触面１８ｄｄとの接触が外れて、電源端子５と電源端子１８との接触が確保できなくなる可能性がある。そこで、本実施の形態では、電源端子５にロック解除補助部５ｄを設けて、電源端子５が回動した際に電源端子５と電源端子１８との接触が外れないように、ロック解除補助部５ｄの先端の端面（傾斜面５ｄｄ）も、電源端子１８の接触面１８ｄｄと接触して、電源端子１８を外側に向かって押すようにしている。そして、電源端子１８の接触面１８ｄｄと接触する、ロック解除補助部５ｄの先端の端面は、接触部５ｃの接触面５ｃｃよりも後退する傾斜面５ｄｄとなっているため、電源端子５が回動した際に、ロック解除補助部５ｄが挿入凹部３６の内面に引っ掛かってプラグ１００がコンセント２００から抜けにくくなることを防止することができる。
【００７５】
同様に、ロック解除ボタン２６が押されると、電源端子４の嵌合凹部１３側の一端にある接触面４ｃｃが電源端子１７を外側に向かって押すように電源端子４が回動し、嵌合凹部１３と電源端子１７との嵌合が外れるようになる。このとき、接触面４ｃｃとともに、電源端子４のロック解除補助部４ｄの先端の端面（傾斜面４ｄｄ）も、電源端子１７の接触面１７ｄｄと接触して、電源端子１７を外側に向かって押す。そして、電源端子１７の接触面１７ｄｄと接触する、ロック解除補助部４ｄの先端の端面は、接触部４ｃの接触面４ｃｃよりも後退する傾斜面４ｄｄとなっているため、電源端子４が回動した際に、ロック解除補助部４ｄが挿入凹部３６の内面に引っ掛かってプラグ１００がコンセント２００から抜けにくくなることを防止することができる。
【００７６】
嵌合凹部１３と電源端子１７との嵌合が外れ、かつ嵌合凹部１４と電源端子１８との嵌合が外れた状態で、プラグ１００をコンセント２００に対する挿入方向とは逆方向に移動させると、プラグ１００の挿入部２１がコンセント２００の挿入凹部３６から退出し、プラグ１００がコンセント２００から取り外されることになる。
【００７７】
このように、本実施の形態では、ロック解除ボタン６，２６を押しながらプラグ１００をコンセント２００から簡単に取り出すことができる。
【００７８】
また、電源端子４，５は、プラグ１００のコンセント２００に対する固定状態を解除するためのロック解除部材を兼ねているため、プラグ１００の構造を簡素化できる。
【００７９】
また、本実施の形態では、複数のロック解除ボタン６，２６が設けられているため、不用意にプラグ１００がコンセント２００から外れることを抑制できる。
【００８０】
また、２つのロック解除ボタン６，２６が、プラグ１００のコンセント２００に対する挿入方向に垂直な第２方向Ｄ２に沿って対向して配置されているため、プラグ１００をコンセント２００から取り出す際に、ロック解除ボタン６，２６を片手で同時に押し易くなる。したがって、プラグ１００をコンセント２００からさらに取り出し易くなる。
【図面の簡単な説明】
【００８１】
【図１】本発明の実施の形態に係るプラグとコンセントの外観を示す斜視図である。
【図２】本発明の実施の形態に係るプラグとコンセントの内部構造を示す図である。
【図３】本発明の実施の形態に係るプラグ側の接地端子の構造を示す図である。
【図４】本発明の実施の形態に係るプラグ側の接地端子の構造を示す図である。
【図５】本発明の実施の形態に係るプラグ側の接地端子の構造を示す図である。
【図６】本発明の実施の形態に係るプラグ側の一方の電源端子の構造を示す図である。
【図７】本発明の実施の形態に係るプラグ側の一方の電源端子の構造を示す図である。
【図８】本発明の実施の形態に係るプラグ側の一方の電源端子の構造を示す図である。
【図９】本発明の実施の形態に係るプラグ側の一方の電源端子の構造を示す図である。
【図１０】本発明の実施の形態に係るプラグ側の一方の電源端子の構造を示す図である。
【図１１】本発明の実施の形態に係るプラグ側の他方の電源端子の構造を示す図である。
【図１２】本発明の実施の形態に係るプラグ側の他方の電源端子の構造を示す図である。
【図１３】本発明の実施の形態に係るプラグ側の他方の電源端子の構造を示す図である。
【図１４】本発明の実施の形態に係るプラグ側の他方の電源端子の構造を示す図である。
【図１５】本発明の実施の形態に係るプラグ側の他方の電源端子の構造を示す図である。
【図１６】本発明の実施の形態に係るコンセント側の接地端子の構造を示す図である。
【図１７】本発明の実施の形態に係るコンセント側の接地端子の構造を示す図である。
【図１８】本発明の実施の形態に係るコンセント側の接地端子の構造を示す図である。
【図１９】本発明の実施の形態に係るコンセント側の接地端子の構造を示す図である。
【図２０】本発明の実施の形態に係るコンセント側の一方の電源端子の構造を示す図である。
【図２１】本発明の実施の形態に係るコンセント側の一方の電源端子の構造を示す図である。
【図２２】本発明の実施の形態に係るコンセント側の一方の電源端子の構造を示す図である。
【図２３】本発明の実施の形態に係るコンセント側の一方の電源端子の構造を示す図である。
【図２４】本発明の実施の形態に係るコンセント側の他方の電源端子の構造を示す図である。
【図２５】本発明の実施の形態に係るコンセント側の他方の電源端子の構造を示す図である。
【図２６】本発明の実施の形態に係るコンセント側の他方の電源端子の構造を示す図である。
【図２７】本発明の実施の形態に係るコンセント側の他方の電源端子の構造を示す図である。
【図２８】本発明の実施の形態に係るプラグとコンセントとが接続された様子を示す図である。
【図２９】ロック解除ボタンが押された状態での本発明の実施の形態に係るプラグとコンセントの内部構造を示す図である。
【符号の説明】
【００８２】
１  プラグケース、２，１６  接地端子、４，５，１７，１８  電源端子、７，２７，４６〜４８  圧縮スプリング、９，２９  ねじりスプリング、１２  位置決め凹部、１３，１４  嵌合凹部、１５  コンセントケース、２１  挿入部、３６  挿入凹部、１００  プラグ、２００  コンセント、Ｄ１  第１方向、Ｄ２  第２方向。
【図１】
0005197177.tif 000002
【図２】
0005197177.tif 000003
【図３】
0005197177.tif 000004
【図４】
0005197177.tif 000005
【図５】
0005197177.tif 000006
【図６】
0005197177.tif 000007
【図７】
0005197177.tif 000008
【図８】
0005197177.tif 000009
【図９】
0005197177.tif 000010
【図１０】
0005197177.tif 000011
【図１１】
0005197177.tif 000012
【図１２】
0005197177.tif 000013
【図１３】
0005197177.tif 000014
【図１４】
0005197177.tif 000015
【図１５】
0005197177.tif 000016
【図１６】
0005197177.tif 000017
【図１７】
0005197177.tif 000018
【図１８】
0005197177.tif 000019
【図１９】
0005197177.tif 000020
【図２０】
0005197177.tif 000021
【図２１】
0005197177.tif 000022
【図２２】
0005197177.tif 000023
【図２３】
0005197177.tif 000024
【図２４】
0005197177.tif 000025
【図２５】
0005197177.tif 000026
【図２６】
0005197177.tif 000027
【図２７】
0005197177.tif 000028
【図２８】
0005197177.tif 000029
【図２９】
0005197177.tif 000030